(57)【要約】【課題】  従来のハンガーは、上着の肩幅と同じ幅をとってしまい、ある程度幅のあるタンスでないと収容できず、また旅行鞄等に収容する場合も、大きな鞄でないと収納できなかった。また、鞄等と共に手で持ち運ぶ携帯用のハンガーの場合であっても、横幅が広いことから、電車などで持ち運ぶには不便であり、なかなか普及しなかった。【解決手段】  上着を縦方向に２つ折りにした後で、挟み込み式の留め具を利用して、縦方向に折りたんだ上着を固定することで、コンパクトに上着の収容が可能であり、持ち運びにも便利なハンガーの提供が可能となる。【選択図】  図１
2006081873.tif 000002
【特許請求の範囲】
【請求項１】
縦方向に２つ折りにした上着を折りたたんでかけるために、挟み込み式のとめ具を利用して、ハンガー本体と折りたたんだ上着とを固定することを特徴とするハンガー。
【請求項２】
縦方向に２つ折りにした上着を折りたたんでかけるために、上着を折りたたんでかける部分どうしで上着を挟み込み込むことにより、ハンガー本体と折りたたんだ上着とを固定することを特徴とするハンガー。
【請求項３】
縦方向に裏返して２つ折りにした上着を折りたたんでかけるために、裏返した肩の部分を内側から支える部分と、上着の襟首にある紐を引っ掛ける部分を有することを特徴とするハンガー。
【請求項４】
縦方向に裏返して２つ折りにした上着を折りたたんでかけるために、裏返した肩の部分を内側から支える部分を有するとともに、挟み込み式のとめ具を利用して、ハンガー本体と折りたたんだ上着とを固定することを特徴とするハンガー。
【請求項５】
挟み込み式のとめ具を利用して、ハンガー本体と折りたたんだ上着とを固定することを特徴とする請求項３のハンガー。
【請求項６】
縦方向に裏返して２つ折りにした上着を折りたたんでかけるために、裏返した肩の部分を内側から支える部分を有するとともに、裏返した肩の部分を内側から支える部分と、上着を折りたたんでかける部分とで上着を挟み込むことにより、ハンガー本体と折りたたんだ上着とを固定することを特徴とするハンガー。
【請求項７】
裏返した肩の部分を内側から支える部分と、上着を折りたたんでかける部分とで上着を挟み込むことにより、ハンガー本体と折りたたんだ上着とを固定することを特徴とする請求項３のハンガー。
【請求項８】
縦方向に裏返して２つ折りにした上着を折りたたんでかけるために、裏返した肩の部分を内側から支える部分を有するとともに、上着を折りたたんでかける部分どうしで上着を挟み込むことにより、ハンガー本体と折りたたんだ上着とを固定することを特徴とするハンガー。
【請求項９】
上着を折りたたんでかける部分どうしで上着を挟み込むことにより、ハンガー本体と折りたたんだ上着とを固定することを特徴とする請求項３のハンガー。
【発明の詳細な説明】
【技術分野】
【０００１】  本発明は、上着を壁等の側面、あるいは鞄やタンスの中にコンパクトに収容する為のハンガー、もしくは鞄等と共に容易に保持することができる携帯用ハンガーに関する。
【背景技術】
【０００２】  衣類を持ち運びできる携帯用のハンガーとしては、特開２００４−１１３４４６などが知られている。これは、上着を横方向に折りたたむことにより、携帯性を高めたものであった。
【発明の開示】
【発明が解決しようとする課題】
【０００３】  しかし、上着を横方向に折りたたむ場合、上着の肩幅と同じ幅をとってしまい、鞄に収容する場合は、大きな鞄でないと収納できない。また、鞄等と共に手で持ち運ぶ場合であっても、横幅が広いことから、電車などで持ち運ぶには不便であり、なかなか普及しなかった。また持ち運ばない場合であっても、横幅の広さいことにより、タンス自体が大きくないと、ハンガーを収容出来ないという問題点があった。【０００４】  本発明は、前記した問題点を解決せんとするもので、その目的とするところは、上着を縦方向に２つ折りにした後で、横方向に折りたたむことで、コンパクトに上着を収容することが可能で、持ち運びにも便利なハンガーを提供せしめんとすることにある。
【課題を解決するための手段】  前記目的を達成するために、本発明によるハンガーは、次に記載するような特徴的な構成を採用している。【０００５】  （１）縦方向に２つ折りにした上着を、横方法に２回もしくはそれ以上折りたたんだでかけた後、挟み込み式の留め具を利用してハンガー本体に固定するか、上着をかける部分どうしで上着を挟み込むことによりハンガー本体に固定する。このことでコンパクトに上着をかけることが可能である。【０００６】  （２）また、上着は縦方向に裏返して２つに折りたたむことにより、そでの部分は内側に隠れることとなり、移動中にそでの部分がハンガーから外れる心配もなくなる。裏返した上着の肩の部分に内側から支えを入れることにより、上着の型崩れを防止することが可能となる。
【発明を実施するための最良の形態】
【０００７】  図１及び図２及び図３及び図４は本発明の請求項１の形態におけるハンガーの概略図を示している。１は手に持つか鞄等に固定する部分、２は上着をかける部分、３はハンガー本体と上着を固定する挟み込み式の止め具、４は上着である。【０００８】  図１はハンガー本体を正面から見た図である。また図２はハンガー本体を側面から見た図である。縦方向に２つに折りたたんだ上着４は、図３にように、上着をかける部分２と、ハンガー本体と上着を固定する挟み込み式の止め具３によりハンガー本体に固定される。【０００９】  なお、上着をかける部分２は、図４のように複数あると、収容した後でさらに安定性が増すことになる。【００１０】  上着をハンガー本体に固定する方法として、図１に記載したような、ハンガー本体と上着を固定する挟み込み式の止め具３を利用して固定する方法以外に、上着をかける部分２を複数用意し、そのうちのいくつかを動かせるようにしておき、上着をかける部分２どうしで上着を挟んだ後に上着をかける部分２を固定して安定させる方法も存在する。（請求項２）【００１１】  図５及び図６及び図７及び図８は本発明の請求項３の形態におけるハンガーの概略図を示している。１１は縦方向に裏返して２つ折りにした上着、１２は手に持つか鞄等に固定する部分、１３は縦方向に裏返して２つ折りにした上着の肩の部分を内側から支える部分、１４は上着の襟首にある紐を引っ掛ける部分である。【００１２】  図５は上着を縦方向に裏返して２つ折りにした図である。また図６はハンガー本体を正面から見た図である。縦方向に裏返して２つ折りにした上着１１は、図７のように、肩の部分に、縦方向に裏返して２つ折りにした上着の肩の部分を内側から支える部分１３を入れることで安定する。さらに、上着の襟首にある紐を引っ掛ける部分１４に紐を引っ掛けることで、上着がずり落ちることを防止する。【００１３】  縦方向に裏返して２つ折りにした上着の肩の部分を内側から支える部分１３は、図８のように、壁の側面や椅子の背もたれの後ろ部分などに収納し、必要に応じて取り出すと、普段はコンパクトに収納できる。この場合、上着の襟首にある紐を引っ掛ける部分１４は、縦方向に裏返して２つ折りにした上着の肩の部分を内側から支える部分１３に取付けてあっても、壁等に取付けられていても必要な機能をはたすことが可能である。【００１４】  図９及び図１０は本発明の請求項４の形態におけるハンガーの概略図を示している。２１は手に持つか鞄に固定する部分、２２は上着をかける部分、２３ハンガー本体と上着を固定する挟み込み式の止め具、２４は縦方向に裏返して２つ折りにした上着の肩の部分を内側から支える部分、２５は縦方向に裏返して２つ折りにした上着である。【００１５】  図９は請求項４のハンガー本体を正面から見た図である。縦方向に裏返して２つ折りにした上着２５は、図１０のように、肩の部分に、縦方向に裏返して２つ折りにした上着の肩の部分を内側から支える部分２４を入れることで安定する。さらに、下の部分を折りたたんで、上着をかける部分２２にかけ、ハンガー本体と上着を固定する挟み込み式の止め具２３によりハンガー本体に固定される。【００１６】  図１１及び図１２は本発明の���求項４の別図である。２６は上着の位置がずれないようする留め具である。図１１のように、ハンガー本体と上着を固定する挟み込み式の留め具２３を可動式にすると、上着を固定することが容易となる。また、上着の位置がずれないようする留め具２６により、上着がずり落ちることを防止できる。また、縦方向に裏返して２つ折りにした上着の肩の部分を内側から支える部分２４を可動式にすると、利用しない際にはコンパクトに収容が可能である。なお、手に持つか鞄に固定する部分２１と、上着をかける部分２２や縦方向に裏返して２つ折りにした上着の肩の部分を内側から支える部分２４は、側面から見た時に必ずしも同一直線上に配置する必要なはく、例えば手に持つか鞄に固定する部分２１を頂点としたトライアングル状であっても構わない。また、図１２のように、上着を固定する挟み込み式の止め具に関しては、横についていても、本発明による機能を果たすことが可能である。【００１７】  上着をハンガー本体に固定する方法として、図９に記載したような、ハンガー本体と上着を固定する挟み込み式の止め具２３を利用して固定する方法以外に、縦方向に裏返して２つ折りにした上着の肩の部分を内側から支える部分２４と上着をかける部分２２とで上着を挟んだ後に、縦方向に裏返して２つ折りにした上着の肩の部分を内側から支える部分２４と上着をかける部分２２とを固定して安定させる方法も存在する。（請求項６）【００１８】  また、上着をハンガー本体に固定する方法の他の方式として、上記に記載した方法の他、上着をかける部分２２を複数用意し、そのうちのいくつかを動かせるようにしておき、上着をかける部分２２どうしで上着を挟んだ後に、上着をかける部分２２を固定して安定させる方法も存在する。（請求項８）【００１９】  以上のことで、上着をコンパクトに収納でき、携帯にも便利なハンガーを提供できる。
【図面の簡単な説明】
【００２０】
【図１】本発明の請求項１における、ハンガーの正面図である。
【図２】本発明の請求項１における、ハンガーの側面図である。
【図３】本発明の請求項１における、上着をかけた時の図である。
【図４】本発明の請求項１における、ハンガーの正面図の別図である。
【図５】本発明の請求項３における上着を縦方向に裏返して２つ折りにした図である。
【図６】本発明の請求項３における、ハンガーの正面図である。
【図７】本発明の請求項３における、上着をかけた時の図である。
【図８】本発明の請求項３における、ハンガーの正面図の別図である。
【図９】本発明の請求項４における、ハンガーの正面図である。
【図１０】本発明の請求項４における、上着をかけた時の図である。
【図１１】本発明の請求項４における、ハンガーの正面図の別図である。
【図１２】本発明の請求項４における、ハンガーの正面図の別図である。
【符号の説明】
【００２１】  １          手に持つか鞄等に固定する部分
２          上着をかける部分
３          ハンガー本体と上着を固定する挟み込み式の止め具
４          上着
１１        縦方向に裏返して２つ折りにした上着
１２        手に持つか鞄等に固定する部分
１３        縦方向に裏返して２つ折りにした上着の肩の部分を内側から支える部分
１４        上着の襟首にある紐を引っ掛ける部分
２１        手に持つか鞄に固定する部分
２２        上着をかける部分
２３        ハンガー本体と上着を固定する挟み込み式の止め具
２４        縦方向に裏返して２つ折りにした上着の肩の部分を内側から支える部分
２５        縦方向に裏返して２つ折りにした上着
２６        上着の位置がずれないようする留め具
【図１】
2006081873.tif 000003
【図２】
2006081873.tif 000004
【図３】
2006081873.tif 000005
【図４】
2006081873.tif 000006
【図５】
2006081873.tif 000007
【図６】
2006081873.tif 000008
【図７】
2006081873.tif 000009
【図８】
2006081873.tif 000010
【図９】
2006081873.tif 000011
【図１０】
2006081873.tif 000012
【図１１】
2006081873.tif 000013
【図１２】
2006081873.tif 000014